(57)【要約】【課題】  運転者による運転操作を妨げないように評価結果を運転者に提示する運転評価装置を提供すること。【解決手段】  車両に搭載され、車両運転者による運転操作を評価してその評価結果を運転者に提示する運転評価装置が、自車両の挙動を検知する検知手段と、検知された自車両の挙動に基づいて運転者による運転操作を評価する評価手段と、評価の結果に基づく評価情報を自車両が停車中のみ運転者に対してアニメーションで表示する表示手段とを備える。表示手段は、評価結果が最も良好でない時間帯の評価結果に基づく評価情報を表示する。評価手段は第一の停車から次の第二の停車までの走行中に検知された自車両の挙動に基づいて運転者による運転操作を評価し、表示手段は第二の停車中に該走行中の評価情報を表示する。評価手段は運転者の運転技量に応じて評価基準を変更し、表示手段は評価基準の変更に応じてアニメーションを変更する。【選択図】  図１
2006347296.tif 000002
【特許請求の範囲】
【請求項１】
車両に搭載され、車両運転者による運転操作を評価してその評価結果を運転者に提示する運転評価装置であって、
自車両の挙動を検知する検知手段と、
前記検知手段により検知された自車両の挙動に基づいて運転者による運転操作を評価する評価手段と、
前記評価手段による評価の結果に基づく評価情報を自車両が停車中のみ運転者に対して表示する表示手段と、を有することを特徴とする運転評価装置。
【請求項２】
請求項１記載の運転評価装置であって、
前記表示手段は、前記評価手段による評価結果が最も良好でない時間帯の評価結果に基づく評価情報を表示する、ことを特徴とする運転評価装置。
【請求項３】
請求項１又は２記載の運転評価装置であって、
前記評価手段は、第一の停車から次の第二の停車までの走行中に前記検知手段により検知された自車両の挙動に基づいて運転者による運転操作を評価し、
前記表示手段は、前記第二の停車中に、前記第一の停車から発進して該第二の停車までの前記評価情報を表示する、ことを特徴とする運転評価装置。
【請求項４】
請求項１乃至３のいずれか一項記載の運転評価装置であって、
前記評価情報はアニメーション表示である、ことを特徴とする運転評価装置。
【請求項５】
請求項１乃至４のいずれか一項記載の運転評価装置であって、
前記評価手段は、運転者の運転技量に応じて評価基準を変更する、ことを特徴とする運転評価装置。
【発明の詳細な説明】
【技術分野】
【０００１】
本発明は、概して、車両に搭載され、車両運転者による運転操作を評価してその評価結果を運転者に提示する運転評価装置に係り、特に、運転者による運転操作を妨げないように評価結果を運転者に提示する運転評価装置に関する。
【背景技術】
【０００２】
従来、車両に搭載され、車両運転者による運転操作を評価してその評価結果を運転者に提示する装置が知られている（例えば、特許文献１参照）。
【０００３】
特許文献１に開示された装置は、動物や植物などの各種のキャラクタを運転者に表示すると共に、このキャラクタ表示を安全運転をするとキャラクタが成長し、危険運転をすると退化するようにストーリー性を持たせて変化させるものである。
【特許文献１】特開平１０−３２９５８０号公報
【発明の開示】
【発明が解決しようとする課題】
【０００４】
しかしながら、上記特許文献１に開示された従来装置では、上記のようなキャラクタが常時表示されているため、すなわち車両運転中も表示されているため、運転者の注意が過度に奪われる可能性があり、安全上好ましくない。
【０００５】
本発明はこのような課題を解決するためのものであり、運転者による運転操作を妨げないように評価結果を運転者に提示する運転評価装置を提供することを主たる目的とする。
【課題を解決するための手段】
【０００６】
上記目的を達成するための本発明の一態様は、車両に搭載され、車両運転者による運転操作を評価してその評価結果を運転者に提示する運転評価装置であって、自車両の挙動（例えば、ピッチレート、ロールレート、ヨーレート、上下方向加速度、左右方向加速度、前後方向加速度、車速、など）を検知する検知手段と、該検知手段により検知された自車両の挙動に基づいて運転者による運転操作（例えば、ステアリングハンドル操作、アクセルペダル操作、ブレーキペダル操作、シフト操作、など）を評価する評価手段と、該評価手段による評価の結果に基づく評価情報を自車両が停車中のみ運転者に対して表示する表示手段とを有する運転評価装置である。
【０００７】
この一態様において、上記表示手段は、運転者が最も評価が低い運転操作を行った時間帯の評価結果について短時間のうちに容易に把握できるようにする観点から、例えば、上記評価手段による評価結果が最も良好でない時間帯（例えば、評価対象パラメータが±０〜最大値となる時間帯、など）の評価結果に基づく評価情報を表示する。
【０００８】
また、この一態様においては、例えば、直近の発進してから停車するまでの運転操作を評価するために、上記評価手段が第一の停車から次の第二の停車までの走行中に前記検知手段により検知された自車両の挙動に基づいて運転者による運転操作を評価し、上記表示手段が上記第二の停車中に上記第一の停車から発進して該第二の停車までの上記評価情報を表示するようにしてもよい。
【０００９】
この一態様によれば、何らかの情報を視覚的に表示すると運転者の注意を引きやすく、視線方向もずらしてしまうとの洞察に基づき、車両走行中には評価結果に基づく評価情報が表示されないようにしたため、運転操作中の運転者が注意を奪われず、運転者による運転操作を妨げないように評価結果を運転者に提示することができる。
【００１０】
なお、この一態様において、運転者が評価情報を定量的に捉えやすくするために、例えば、上記評価情報をアニメーション表示とすることが好ましい。具体的には、例えば、水の入ったコップや花瓶などをアニメーション表示し、評価が低いときほどコップ又は花瓶が揺れ、揺れの大きさに応じて水がこぼれる、といった表示内容とすれば、運転者は直感的に評価内容を把握することができる。
【００１１】
また、この一態様において、上記評価手段は運転者の運転技量に応じて評価基準を変更することが好ましい。ここで、運転者の運転技量は、運転者による自己申告（例えば、免許取りたて、運転暦何年以上、など）でよく、或いは、評価手段が過去の評価結果から自動的に認定してもよい。加えて、上記表示手段が、上記評価基準の変更に応じて、アニメーション表示を変更してもよい。
【発明の効果】
【００１２】
本発明によれば、運転者による運転操作を妨げないように評価結果を運転者に提示する運転評価装置を提供することができる。
【発明を実施するための最良の形態】
【００１３】
以下、本発明を実施するための最良の形態について、添付図面を参照しながら実施例を挙げて説明する。
【実施例】
【００１４】
以下、図１〜５を参照して、本発明の一実施例に係る運転評価装置の構成及び動作について説明する。
【００１５】
図１は、本実施例に係る運転評価装置１００の概略構成図である。運転評価装置１００は、自車両の挙動を検知する車両挙動検知部１０１を有する。ここで、車両の挙動とは、例えば、ピッチレート、ロールレート、ヨーレート、上下方向加速度（上下Ｇ）、左右方向加速度（左右Ｇ）、前後方向加速度（前後Ｇ）、車速、又は、これらの任意の組み合わせなどにより表される。これらの値の測定は、当業者には既知の各種センサにより可能である。
【００１６】
運転評価装置１００は、更に、車両挙動検知部１０１により検知された自車両の挙動に基づいて運転者による運転操作を評価してパラメータ化する評価部１０２を有する。ここで、運転操作とは、例えば、ステアリングハンドル操作、アクセルペダル操作、ブレーキペダル操作、シフト操作、などを指す。
【００１７】
運転評価装置１００は、更に、評価部１０２による評価結果をアニメーション表示（後に詳述する）として運転者に対して表示する表示部１０３を有する。表示部１０３は、例えばインパネなどに設けられた専用のディスプレイ（例えば液晶ディスプレイなど）であってもよく、或いは、ナビゲーションシステムのディスプレイ装置を共用してもよい。後者の場合、後述するアニメーション表示とナビゲーションシステムの地図表示とは、例えば、画面を分割して同時に表示される。
【００１８】
運転評価装置１００は、更に、表示部１０３によって表示される種々のアニメーションを記憶する記憶部１０４を有する。表示部１０３は、運転者からの入力・選択に応じて、運転者所望のアニメーションを記憶部１０４から抽出し、評価結果の表示に用いる。記憶部１０４は、任意の記憶媒体でよく、着脱可能なものであってもよい。
【００１９】
ところで、運転中に何らかの情報が視覚的に表示されると、運転者の注意が奪われ、視線方向もずれてしまう可能性がある。そこで、本実施例においては、運転操作評価の表示が運転者の運転操作を妨げるのを極力回避するために、表示部１０３は、車両挙動検知部１０１から車速情報を取得・監視し、自車両が車速ゼロとなる停車状態を待機し、車両停車中にのみ、評価部１０２による評価結果の良否をアニメーションを利用して表示するものとする。
【００２０】
なお、ここで車速ゼロをもって車両停車状態を検出しているのは一例に過ぎず、例えば、車速ゼロの検出に代えて又は加えて、シフト位置、パーキングブレーキ、ＧＰＳによる現在位置の変化、又は、これらの任意の組み合わせによって自車両が停車状態か否かを判定してもよい。
【００２１】
また、表示部１０３は、信号待ちなどの短時間の停車中に効率良く評価結果を運転者に伝達するために、自車両が停車（Ａ）状態から発進し、次に停車（Ｂ）するまでの走行中の運転操作に関する評価結果のうち、最も評価が低い運転操作を行った時間帯の評価結果を表すパラメータをアニメーション表示で停車（Ｂ）中に表示する。
【００２２】
一具体例を図２に示す。図２は、運転評価装置１００によりアニメーション表示の対象となる時間区間の一例を示すグラフである。ここでは、車両挙動を表すパラメータのうち前後Ｇパラメータが最大となったため、前後Ｇパラメータの評価結果に応じたアニメーションが表示されるものとする。
【００２３】
図２に示す例において、停車状態であった車両は、時刻ｔ１に発進し、加減速を繰り返しながら、時刻ｔ４に停止して、再度停車状態となっている。本実施例に係る運転評価装置１００によれば、時刻ｔ４に停車するとすぐに直前の時刻ｔ１から時刻ｔ４までの走行を対象とした評価の結果が運転者に提示されることになる。
【００２４】
さらに、本実施例に係る運転評価装置１００によれば、上述のように、短い時間で効率良く運転者に運転操作の改善を促すために、停車直前の走行全区間の評価結果ではなく、その中で最も評価が低い運転操作を行った時間帯の評価結果のみが表示される。本実施例において、具体的には、パラメータが０から最大値となる区間に絞るものとする。
【００２５】
したがって、図２の場合、時刻ｔ３において前後Ｇが最大値となっているため、時刻ｔ３の直前に前後Ｇが±０であった時刻ｔ２から時刻ｔ３までの時間区間Ａを表示対象にするものとする。すなわち、時刻ｔ２〜時刻ｔ３の時間区間Ａ中の前後Ｇの変化の様子に応じたアニメーション表示が時刻ｔ４の直後に表示される。
【００２６】
次いで、表示部１０３によるアニメーション表示について説明する。アニメーション表示は、運転操作の評価結果、すなわち直前の走行において運転者の運転操作がどのくらい滑らか（スムーズ）であったか、を運転者が一目見て容易且つ直感的に評価内容を把握できるようにするためのものであり、具体的にアニメーションとして表示される人や動物や物体は全くの任意でよい。
【００２７】
具体的には、例えば、通常時には直立に静止している人や物などを評価結果が悪いときほど傾いた不安定な状態で表示する。このように表示された様子が傾いているか否かで評価結果を端的に表現できる人や物としては、例えば、（空の）コップ、水が入ったコップ、（空の）花瓶、水が入った花瓶、いわゆる弥次郎兵衛（やじろべえ；短い立棒に湾曲した細長い横棒をつけ、その両端に重しを取り付けた玩具）などの釣り合い人形、電車内に立っている人、電車の吊り革、卵、などが挙げられる。
【００２８】
図３は、水の入ったコップによるアニメーション表示の一例を示している。図３（ａ）のアニメーション表示は、直立して安定的に静止した水入りコップを表しており、例えばパラメータの大きさから運転操作に全く又はほとんど問題がなかったと評価された場合に表示される。
【００２９】
図３（ｂ）は、図３（ａ）の安定した状態からコップが傾き、中の水がこぼれそうになっている（しかし、まだこぼれていない）様子を表しており、例えばパラメータの大きさから運転操作にやや問題があったと評価された場合に表示される。
【００３０】
図３（ｃ）は、図３（ｂ）より更にコップが傾いてとうとう中の水がこぼれてしまった様子を表しており、例えばパラメータの大きさから運転操作にかなり問題があったと評価された場合に表示される。
【００３１】
この水が入ったコップの例によれば、運転者は、コップの傾き具合や水がこぼれそうかどうかを視覚的に捉えることによって、直感的に自分の運転操作が望ましいものであったのか或いは改善すべきものであったのか、さらにはどの程度理想状態からずれた運転操作であったのかを把握することができる。例えば折れ線グラフや、棒グラフや、数値の表などと比較して、このようなアニメーション表示を用いる方がより短時間で運転者が評価結果を知ることができることは明らかである。
【００３２】
なお、図３では、便宜上、コップの様子を３状態（段階）しか示していないが、コップの傾き角度や水の波打つ様子及びこぼれている様子は、パラメータの大きさに応じてより細かく、可能であればリニアに、変化することが好ましい。
【００３３】
このようなアニメーション表示を実現するためのデータは記憶部１０４に予め記憶保存されており、運転者はコップでも吊り革でも所望のアニメーションを自由に選択できるものとする。
【００３４】
本実施例において、アニメーション表示が運転者によって指定されなかった場合、表示部１０３は、所定のアニメーションを表示する。この場合、更に、評価部１０２が、評価結果の履歴から運転者の潜在的な運転技量レベルを推定し、推定された運転者の運転技量に応じて評価基準を変更するものとし、表示部１０３もこの評価基準の変更に合わせてアニメーション表示を変更するものとする。
【００３５】
具体例を図４に示す。図４は、運転技量に応じて表示されるアニメーションの一例を示している。図４（ａ）のアニメーション表示は、水が入った比較的底面積の大きい安定したコップを表しており、例えば比較的運転技量が未熟な運転者であると評価された場合に表示される。
【００３６】
図４（ｂ）のアニメーション表示は、図４（ａ）のコップよりも底面積（＝接地面積）が小さく、図４（ａ）のコップよりもやや不安定な水入りコップを表しており、例えば図４（ａ）の場合よりも運転技量がやや優る運転者であると評価された場合に表示される。
【００３７】
図４（ｃ）のアニメーション表示は、ちょっとした振動でも大きく揺れるほど不安定な立てられた卵を表しており、例えば図４（ｂ）の場合よりも運転技量が優る熟練した運転者であると評価された場合に表示される。
【００３８】
この例によれば、運転者の運転技量が未熟であると判断されるほど傾きにくい物体がアニメーション表示され、熟練していると判断されるほど傾きやすい物体がアニメーション表示される。よって、熟練の運転者ほどアニメーション表示された物体が傾かないように滑らかに運転することが困難となり、より慎重な運転操作が要求されることになる。逆に、あまり熟練していないと判断された運転者は、運転操作に多少の粗さがあったとしてもアニメーション表示された物体が傾かない又は傾きが小さいため、過度に強い改善要求を受けたという印象を持ちにくい。
【００３９】
次いで、図５を用いて、運転評価装置１００の処理の流れを説明する。図５は、本実施例に係る運転評価装置１００の処理の流れを示すフローチャートである。
【００４０】
運転評価装置１００は、自車両のイグニッション（ＩＧ）がオンにされたときに起動する（Ｓ５０１の「ＹＥＳ」）。
【００４１】
次いで、運転評価装置１００は、前回のＩＧオフから所定時間が経過したか否かを判定する（Ｓ５０２）。所定時間が経過している場合（Ｓ５０２の「ＹＥＳ」）には、運転評価装置１００はパラメータ化されて記憶された車両挙動を初期化する（Ｓ５０３）。他方、前回のＩＧオフから所定時間が経過していない場合（Ｓ５０２の「ＮＯ」）、初期化工程（Ｓ５０３）はスキップされる
次いで、運転評価装置１００は、車速から自車両が発進したか否かを判定する（Ｓ５０４）。発進していないと判定された場合（Ｓ５０４の「ＮＯ」）、後述するＳ５０８へ進む。他方、発進したと判定された場合（Ｓ５０４の「ＹＥＳ」）、車両挙動の検知を開始し、検知された車両挙動はパラメータ化して記憶保持する（Ｓ５０５）。
【００４２】
次いで、運転評価装置１００は、車速から自車両が停車したか否かを判定する（Ｓ５０６）。停車していないと判定された場合（Ｓ５０６の「ＮＯ」）、車両挙動の検知が継続される。
【００４３】
他方、自車両が停車したと判定された場合（Ｓ５０６の「ＹＥＳ」）、前回の停車状態から発進して今回停車するまでの直近の走行中に最大となったパラメータの中で最も評価が低かった時間区間のパラメータの様子をアニメーションで表示する（Ｓ５０７）。
【００４４】
次いで、自車両のＩＧがオフされたか否かが判定される（Ｓ５０８）。ＩＧオフされていない場合（Ｓ５０８の「ＮＯ」）、Ｓ５０４へ戻って自車両の再度の発進が待機される。他方、ＩＧオフされた場合（Ｓ５０８の「ＹＥＳ」）、本フローの１ルーチンを終了する。
【００４５】
このように、本実施例によれば、車両挙動に基づいて判断された運転操作の評価結果を運転者が一目見て直感的に評価内容を把握できるようにアニメーション表示を用いて運転者に提示すると共に、このようなアニメーション表示が車両走行中は表示されないようにしたため、運転者による運転操作を妨げないように運転者に評価結果をわかりやすく提示することができる。
【００４６】
なお、上記一実施例では、一例として、車両が一時停止するたびに直近の走行中の車両挙動に基づいた運転操作の評価結果が表示されるものとしたが、本発明はこれに限定されるものではなく、例えば、より安全を期するために、例えば既知の信号検出装置を用いて信号待ち時間を予測するなどして、停車時間が比較的長くなりそうな停車の場合にのみ上述のような評価結果を表すアニメーションが表示されるようにしてもよい。
【００４７】
また、上記一実施例では、一例として、評価部１０２が過去の評価結果に基づいて運転者の運転技量を判断して評価基準を変更するものとしたが、本発明はこれに限定されるものではなく、例えば、運転者が自分の運転技量に関する情報（例えば、免許取りたて、運転暦何年以上、など）を自己申告するようにしてもよい。
【００４８】
また、上記一実施例では、一例として、ＩＧオンと同時に運転評価装置１００が起動するものとしたが、本発明はこれに限定されるものではなく、ＩＧオン後に運転者が所定のスイッチを押すなどの所定の操作を行うことによって初めて起動するようにしてもよい。
【００４９】
また、運転評価装置１００の起動時に最近の過去の評価結果に基づいて運転者に注意を促すメッセージ（例えば、「今日は急加速しないように気をつけて運転しましょう」など）を運転者に発する人や動物などがアニメーション表示されてもよい。
【００５０】
また、当業者には明らかなように、上記一実施例において、アニメーション表示中にそのアニメーション表示に応じた（すなわち評価結果に応じた）音又は音声を専用の又はオーディオシステムのスピーカから出力するようにしてもよい。
【００５１】
また、本発明は、車両走行中に運転者の注意（視線）がアニメーション表示に惹きつけられてしまうことを防止するために車両停車中にのみアニメーションを表示するようにしたものであって、車両走行中に音若しくは音声や振動によって評価結果を略リアルタイムに運転者に伝達することを妨げるものではない。
【００５２】
また、同じ趣旨から、本発明は、車両走行中に評価結果を略リアルタイムに表す上記のようなアニメーション表示を後部座席ディスプレイにのみ表示することを妨げない。また、運転者の注意を過度に惹きつけないように配慮して、例えばインジケータ等を評価結果に応じて略リアルタイムに点灯及び／又は点滅させてもよい（例えば、急減速発生時に点灯又は点滅させる、など）。
【００５３】
さらに、上記一実施例では、一例として、評価部１０２が走行中の車両の挙動から主として運転者による運転操作の滑らかさ／粗さを評価するものであったが、本発明はこれに限定されるものではなく、例えば、制限速度や一時停止線などの交通規則を遵守しているか否かについても評価対象とし、アニメーション表示に反映されるようにしてもよい。
【００５４】
この場合、例えば、１）図３に例示した水が入ったコップによるアニメーション表示の場合に、交通規則が遵守されている場合には車両挙動に基づく評価がどんなに低くてもコップが傾くだけで水はこぼれないものとし、交通規則が遵守されなかった場合にはどんなに滑らかな運転操作であったとしてもコップが傾いて水がこぼれるものとする、或いは、２）交通規則が遵守された場合には運転者が選択したアニメーション表示が用いられ、交通規則が遵守されなかった場合には強制的に別のアニメーション表示（例えば、パトカー、信号機、車両同士が衝突しているところ、など）が表示されるものとする、などのように交通規則が遵守された場合とされなかった場合とが区別されるように設計・設定されることが好ましい。
【産業上の利用可能性】
【００５５】
本発明は、車両に搭載され、車両運転者による運転操作を評価してその評価結果を運転者に提示する運転評価装置に利用できる。搭載される車両の外観、重量、サイズ、走行性能等は問わない。
【図面の簡単な説明】
【００５６】
【図１】本発明の一実施例に係る運転評価装置の概略構成図である。
【図２】本発明の一実施例に係る運転評価装置によりアニメーション表示の対象となる時間区間の一例を示すグラフである。
【図３】本発明の一実施例に係る運転評価装置により評価結果に応じて表示されるアニメーションの一例を示す概略図である。
【図４】本発明の一実施例に係る運転評価装置により運転技量に応じて表示されるアニメーションの一例を示す概略図である。
【図５】本発明の一実施例に係る運転評価装置の処理の流れを示すフローチャートである。
【符号の説明】
【００５７】
１００  運転評価装置
１０１  車両挙動検知部
１０２  評価部
１０３  表示部
１０４  記憶部
【図１】
2006347296.tif 000003
【図２】
2006347296.tif 000004
【図３】
2006347296.tif 000005
【図４】
2006347296.tif 000006
【図５】
2006347296.tif 000007